(57)【要約】【課題】  従来の対物レンズ駆動装置において、レンズホルダにフォ−カスコイルを直巻きするものは、専用のコイル直巻き装置を必要とし、製造コスト高の要因になっていた。また、フォ−カスコイルをレンズホルダの外側に嵌め込むものは、レンズホルダより広いコイル径が必要となり、可動部の小型軽量化や高感度化の妨げとなっていた。【解決手段】  この発明に係わる対物レンズ駆動装置は、対物レンズを保持するレンズホルダと、このレンズホルダ内に前記対物レンズの光軸を囲むように、予め巻いておいた小型のフォ−カスコイルを内蔵固定することから、可動部の小型軽量化や高感度化を実現したものである。【選択図】        図３
2006190381.tif 000002
【特許請求の範囲】
【請求項１】
記録媒体面に対し進退自在に支持され、対物レンズを記録媒体面に対向するように保持するレンズホルダ、このレンズホルダ内に前記対物レンズの光軸を囲むよう内蔵固定され、記録媒体面に対して前記対物レンズを進退させるフォ−カスコイルを備えたことを特徴とする対物レンズ駆動装置。
【請求項２】
前記レンズホルダの前記光軸と平行な関係にある外壁に、前記フォ−カスコイルを前記レンズホルダ内に挿入するための挿入口が設けられていることを特徴とする請求項１記載の対物レンズ駆動装置。
【請求項３】
前記フォ−カスコイルは、前記挿入口から、前記光軸と垂直な方向に挿入され、固定されていることを特徴とする請求項２記載の対物レンズ駆動装置。
【請求項４】
前記光軸と平行な前記レンズホルダの外壁に導電性弾性体を固定するための固定部と、前記フォ−カスコイルの巻線端と前記導電性弾性体とを電気的に接続するための凸部の両方またはいずれか一方が設けられていることを特徴とする請求項１ないし請求項３のいずれか１つに記載の対物レンズ駆動装置。
【請求項５】
前記挿入口と対向する前記レンズホルダの外壁に前記フォ−カスコイルの位置決め手段が設けられたことを特徴とする請求項２ないし請求項４のいずれか１つに記載の対物レンズ駆動装置。
【請求項６】
前記フォ−カスコイルの前記対物レンズと対向する部分に対応するコイルの内壁側寸法が、前記対物レンズの外形寸法より狭く成っていることを特徴とする請求項１ないし請求項５のいずれか１つに記載の対物レンズ駆動装置。
【請求項７】
前記レンズホルダ内に前記対物レンズの入射光束を規制するアパ−チャ部を有し、そのアパ−チャ部は、前記レンズホルダの前記開口部に連なって形成されていることを特徴とする請求項１ないし請求項６のいずれか１つに記載の対物レンズ駆動装置。
【請求項８】
前記対物レンズに光束を入射する側の前記レンズホルダの外壁に、前記フォ−カスコイルの内壁とほぼ等しい寸法を有する貫通部が、前記対物レンズの光軸と平行方向に形成され、該貫通部の内壁寸法および前記フォ−カスコイルの内側寸法よりわずかに小さい径の凸状の位置決め部を有する組立治具を、該貫通部を介して挿入することから前記レンズホルダ内の所定の位置に前記フォ−カスコイルを位置決めし、組み立てられていることを特徴とする請求項２ないし請求項７のいずれか１つに記載の対物レンズ駆動装置。
【請求項９】
前記レンズホルダには、前記ディスク記録媒体の半径方向に駆動するためのトラックコイルと前記ディスク記録媒体に対して傾き方向に駆動するためのチルトコイルが固定され、導電性弾性体で支持されていることを特徴とする請求項１ないし請求項８のいずれか１つに記載の対物レンズ駆動装置。
【請求項１０】
前記チルトコイルは、前記開口部に光軸方向と垂直な方向から挿入され、固定されていることを特徴とする請求項９に記載の対物レンズ駆動装置。
【請求項１１】
請求項１ないし請求項１０のいずれか１つに記載の対物レンズ駆動装置を備えたことを特徴とする光ヘッド。
【発明の詳細な説明】
【技術分野】
【０００１】
この発明は例えば光ディスク装置に用いられる光ヘッドならびに、この光ヘッドに搭載される対物レンズを駆動制御するための対物レンズ駆動装置に関する。
【背景技術】
【０００２】
従来の光ヘッドに用いられる対物レンズ駆動装置は、複数の導電性弾性体により支持されたレンズホルダと、このレンズホルダの中心付近に固定された対物レンズと、この対物レンズの光軸を囲むように巻き回されたフォ−カスコイルから構成され、フォ−カスコイルをレンズホルダに直巻きしたり、あるいは予めレンズホルダの外周より大きな形状に巻きまわし成型されたフォ−カスコイルを対物レンズの光軸方向からレンズホルダの外側に沿って嵌め込み、接着固定したりする構造になっていた（例えば、特許文献１、特許文献２参照）。
【０００３】
【特許文献１】特開２００３−１７３５５６号公報（図１）
【特許文献２】特開２００３−１７３５５７号公報（図１）
【発明の開示】
【発明が解決しようとする課題】
【０００４】
従来のレンズホルダにフォ−カスコイルを直巻きする構成の対物レンズ駆動装置においては、レンズホルダの形状に即した専用の高価なコイル直巻き装置が必要である。また、コイル直巻き装置に小さなレンズホルダを１個ずつ正しく配置投入し、巻線後取り出す必要があり、生産性が悪く、コストが高くなるという問題があった。また、従来のあらかじめ成型されたフォ−カスコイルを対物レンズの光軸方向からレンズホルダの外側に嵌め込み、接着固定する構成の対物レンズ駆動装置においては、汎用の巻き線装置で効率良くフォ−カスコイルを別途生産することは可能であるものの、レンズホルダへの嵌め込みのためにレンズホルダの外周より大きな形状のフォ−カスコイルに設計する必要があり、可動部の小型軽量化の妨げとなっていた。
【０００５】
この発明は、上述のような課題を解決するためになされたもので、専用で高価なコイル直巻き装置を使用することなく、小型で高感度の対物レンズ駆動装置を得ることを目的とするもの０である。
【課題を解決するための手段】
【０００６】
この発明に係わる対物レンズ駆動装置は、記録媒体面に対して進退自在に支持されるものであって、対物レンズを記録媒体面に対向するように保持するためのレンズホルダと、このレンズホルダ内に前記対物レンズの光軸を囲むようフォ−カスコイルを内蔵固定し、前記対物レンズを記録媒体面に対して進退させるようにしたものである。
【発明の効果】
【０００７】
本発明は、レンズホルダ内に対物レンズの光軸を囲むようフォ−カスコイルを内蔵固定したので、フォ−カスコイルの小型化が可能になり、より小型軽量化した対物レンズ駆動装置を得ることができる。
【発明を実施するための最良の形態】
【０００８】
実施の形態１．
図１はこの発明の実施の形態１である対物レンズ駆動装置全体１００とディスク記録媒体３の相対的な位置関係を示す斜視図である。対物レンズ駆動装置１００は、図２に示すように可動部ユニット１０１と固定部ユニット１０２から構成されている。図３（ａ）は可動部ユニット１０１の分解図で、対物レンズ１を保持するレンズホルダ４の外壁に設けられた挿入口である開口部４ｃから、フォ−カスコイル５をレンズホルダ４の内部に挿入する前の状態を示している。また、図３（ｂ）はレンズホルダ４の外壁に設けられた挿入口である開口部４ｃの形状や位置がわかるようにレンズホルダ４の向きを変えて示している。図４はレンズホルダ４の開口部４ｃからフォ−カスコイル５をレンズホルダ４の内部に挿入する途中の状態を示す。図５はレンズホルダ４の開口部４ｃからフォ−カスコイル５をレンズホルダ４の内部に挿入し終わって、固定した状態における可動部ユニット１０１のＡ−Ａ断面（図１参照）を示した断面図である。図６はレンズホルダ４を成型するための４片から成る金型１６（１６ａ、１６ｂ、１６ｃ、１６ｄ）のうちの金型１６ａ上にレンズホルダ４が収まった状態でのＡ−Ａ断面を示す斜視図である。なお、各図に示す３次元直交座標系は対物レンズ１の初期状態での光軸をＺ軸（光軸上での光の進行方向を正とし、ディスク記録媒体３の回転軸と平行）と設定し、Ｚ軸に垂直な面内において、Ｚ軸からディスク記録媒体３の回転中心に向かう方向にＸ軸を設定し、これら両軸と直交する方向にＹ軸を設定している。
【０００９】
図１において、対物レンズ駆動装置１００に搭載された対物レンズ１は、Ｚ軸上に設けられた光源から発せられる光束２をディスク記録媒体３上においてスポット状に集光するためのものである。この対物レンズ１は、略直方体形状の軽量かつ高剛性なプラスチック製のレンズホルダ４に接着固定されている。図２は対物レンズ駆動装置１００を構成する可動部ユニット１０１と固定部ユニット１０２を大きく２つに分離した図である。後で詳細に述べるが、レンズホルダ４内部には、前記対物レンズ１の入射光束２を規制するアパ−チャ部４ｂが設けられている（図２では隠れている：図６参照）。また、前記対物レンズ１の光軸を囲むようにフォ−カスコイル５、その外部にトラックコイル６を構成する４個のコイル６ａ〜６ｄ、チルトコイル７を構成する２個のコイル７ａ、７ｂ（なお、図２では一部のコイルが隠れている：図３参照）がそれぞれ接着固定され、全体として可動部ユニット１０１を構成している。さらに、可動部ユニット１０１のレンズホルダ４には、Ｚ軸方向に沿って後述するインナ−ヨ−ク９ａ、９ｂを受け入れるための１対の貫通孔４ａが設けられている。一方、固定部ユニット１０２は冷間圧延鋼板等の磁性材をプレス加工した１対のインナ−ヨ−ク部９ａ、９ｂからなるベ−スヨ−ク９を有し、この１対のインナ−ヨ−ク部９ａ、９ｂを同極面が対向して挟む形で平行着磁した２個のマグネット１０ａ、１０ｂを共に固定し、これにより静止磁場を形成する磁気回路を構成している。
【００１０】
可動部ユニット１０１は、図１および図２から判るように、まず、可動部ユニット１０１の１対の貫通孔４ａを固定部ユニット１０２のインナ−ヨ−ク部９ａ、９ｂに通した後、一端を固定部ユニット１０２に固定された導電性弾性体である３対のワイヤ８ａ〜８ｆからなるワイヤ群８により片持ちばね支持され、対物レンズ駆動装置１００を構成する。静止磁場を持つ固定部ユニット１０２上に片持ちばね支持された可動部ユニット１０１を構成する各コイルに制御電流を通電すると、各コイルに磁場が発生し、固定部ユニット１０２の持つ静止磁場との相互作用により、可動部ユニット１０１の支持姿勢をディスク記録媒体３の記録媒体面に対して進退自在に駆動する。なお、可動部ユニット１０１の支持姿勢の制御については後で詳細に述べる。
【００１１】
図３、図４において、フォ−カスコイル５は対物レンズ１の光軸方向に沿った巻き軸を有し、該光軸を囲むように配置される略矩形状の空芯型をしている。レンズホルダ４のＺ軸方向における略中央部のＹ軸と垂直なＸ−Ｚ面の一方の外壁にはアパ−チャ４ｂ部に連なる矩形状の開口部４ｃ｛図３（ｂ）参照｝が設けられ、さらにその対向面にはフォ−カスコイル位置決め壁４ｄが設けられている｛図３（ａ）参照｝。フォ−カスコイル５は、図３（ａ）の挿入前から開口部４ｃに対してＹ軸方向に沿って挿入され（図４の状態）、さらに奥深く挿入されフォ−カスコイル位置決め壁４ｄに当接することから位置決めされ、その後に接着固定される。
【００１２】
図５はこの接着固定された可動部ユニットのＡ−Ａ断面であり、フォ−カスコイル５は、フォ−カスコイル位置決め壁４ｄに当接・固定されている。本発明の実施の形態１の対物レンズ駆動装置１００において、フォ−カスコイル５のＹ軸方向に沿う内側寸法５ａｄは、レンズホルダ４に成形された対物レンズ１に入射する光束２（図１参照）を規制するアパ−チャ４ｂの径４ｂｄより広く、対物レンズの外径寸法１ａｄより狭くなるように設定している。これは、対物レンズ駆動装置１００の小型化にとって、対物レンズの外径寸法１ａｄより狭くできるため望ましい。なお、フォ−カスコイル５の内側寸法５ａｄは、アパ−チャ４ｂの径４ｂｄより広く設定する必要性はない。この広く設定しない場合、フォ−カスコイル５自体がアパ−チャ４ｂの代用となるだけで、より小型の対物レンズ駆動装置１００を得やすくなるという格別の効果が得られる。また、フォ−カスコイル５の内側寸法５ａｄを必ずしも対物レンズの外径寸法１ａｄより狭くなるように設定する必要性はない。この場合、外径寸法１ａｄより広くなった部分に対向するレンズホルダ４の外壁の相当部分に対する寸法が、対物レンズの外径寸法１ａｄよりやや広くなるのみである。
【００１３】
図３、図４において、トラックコイル６はＹ軸方向に沿った巻き軸を有した４個の電気的につながったコイル６ａ、６ｂ、６ｃ、６ｄ群から構成され、レンズホルダ４の対向するＸ−Ｚ面上に２個ずつ接着固定されている。チルトコイル７はＺ軸方向に沿った巻き軸を有した２個の電気的につながったコイル７ａ、７ｂ群から構成され、レンズホルダ４の対物レンズ１が固定されている反対側のＸ−Ｙ面上にそれぞれ接着固定されている。なお、コイル７ａ、７ｂは、発生させる電磁力を逆向きにするため、その巻線方向を互いに逆向きとしている。また、レンズホルダ４のＸ軸方向と垂直な対面位置に配する２つのＹ−Ｚ面には、Ｙ軸方向上の一端に凸部である３箇所の半田製（予め半田コ−ティングされた）コイル端巻きつけ突起４ｅと、中央付近に３個のワイヤ固定穴４ｆを有した固定部であるワイヤ固定壁４ｇが成形されている。フォ−カスコイル５、トラックコイル６、チルトコイル７の巻線端部分は、所定の凸部であるコイル端巻きつけ突起４ｅに絡げ、半田により接続端子に接着されている。以上説明した通り、可動部ユニット１０１が構成されている。
【００１４】
図２、図３において、フォ−カスコイル５の長辺側であるＸ−Ｚ面上の２辺とトラックコイル６ａ、６ｂ、６ｃ、６ｄのＸ−Ｚ面上の各１辺およびチルトコイル７ａ、７ｂのＸ−Ｙ面上の各２辺は、マグネット１０ａ、１０ｂの磁極面と隙間を持って対向するように配置されている。
【００１５】
ワイヤ８を介して可動部ユニット１０１の支持姿勢をディスク記録媒体３の記録媒体面あるいは固定部ユニット１０２に対して、進退自在に支持する構成について述べる。可動部ユニット１０１を構成しているレンズホルダ４の側面に形成されたワイヤ固定穴４ｆには、ベリリウム銅等を材料とするバネ性と導電性を有した３対からなる直線状ワイヤ（導電性弾性体であるワイヤ）８ａ、８ｂ、８ｃおよび８ｄ、８ｅ、８ｆが左右に接着固定されている。ワイヤ８ａ〜８ｆの一端は、フォ−カスコイル５、トラックコイル６およびチルトコイル７のいずれかの巻線端部分を接続した半田製のコイル端巻きつけ突起４ｅに半田付けされ電気的に接続されている。また、図１において、ワイヤ８ａ〜８ｆの他端はベ−スヨ−ク９に設けられたマグネット１０ｂ用の取り付け壁９ｄの裏面に接続されたプラスチック製のゲルホルダ１２を貫通して基板１４に設けられた所定の端子１４ａ〜１４ｆに半田付け固定されている。なお、基板１４とゲルホルダ１２はネジ１３で固定されている。
【００１６】
以上の構成により、基板１４と可動部ユニット１０１に配置されたフォ−カスコイル５、トラックコイル６およびチルトコイル７はそれぞれ電気的に基板１４に設けられた所定の端子１４ａ〜１４ｆと接続されている。また、可動部ユニット１０１は、基板１４に対して直線状のワイヤ−８を介してＺ軸方向、Ｘ軸方向およびＹ軸を回転軸とした回転方向に移動可能な状態で弾性支持されている。なお、ゲルホルダ１２にはワイヤ８ａ〜８ｆを貫通させるために左右１対の穴１２ａ、１２ｂが設けられ、この中に紫外線で硬化するシリコ−ン系のゲル状減衰剤１５が充填・硬化されている（図２の固定ユニット１０２参照）。
【００１７】
次に対物レンズ駆動装置の動作について説明する。まずディスク記録媒体３上に照射される光スポットのフォ−カスずれを制御する場合においては、基板１４に設けられた所定の端子にフォ−カス制御電圧を印加することにより、フォ−カスコイル５に接続されているワイヤ−（８ａ〜８ｆの所定の２本）を介してフォ−カスコイル５に通電する。これによりマグネット１０ａ、１０ｂから発生した静止磁場との相互作用によりＺ軸方向に電磁的な斥力が発生し、可動部ユニット１０１ひいては対物レンズ１は、ディスク記録媒体３に対して垂直方向（Ｚ軸方向）に駆動し、光スポットのフォ−カス制御を行う。
【００１８】
光スポットのトラックずれを制御する場合は、基板１４の所定の端子にトラック制御電圧を印加することにより、所定のワイヤ−（８ａ〜８ｆの所定の２本）を介してトラックコイル６ａ〜６ｄに通電する。これによりマグネット１０ａ、１０ｂから発生した静止磁場との相互作用により電磁的な斥力が発生し、可動部ユニット１０１ひいては対物レンズ１は、ディスク記録媒体３のラジアル方向（ここではＸ軸方向上）に駆動し、光スポットのトラッキング制御を行う。
【００１９】
次に光スポットのラジアルチルトずれを制御する場合は、基板１４の所定の端子にチルト制御電圧を印加することにより、所定のワイヤ−（８ａ〜８ｆの所定の２本）を介してチルトコイル７ａ、７ｂに通電する（図３参照）。これによりマグネット１０ａ、１０ｂから発生した磁界との相互作用により、チルトコイル７ａ、７ｂにはそれぞれＺ軸方向上で逆向きの電磁的な斥力が発生する（巻き線方向をそれぞれ逆にしている）ためＹ軸方向を回転軸として回転モ−メントが発生し、可動部ユニット１０１ひいては対物レンズ１が回動可能となり、チルト制御を行う。なお、ディスク記録媒体３に対して対物レンズ１の光軸が傾くと、収差（コマ収差）が発生するため、ディスク上にきれいなスポットが形成できなくなり、記録再生特性の劣化を導く。この対策のため、ディスクの傾きを検出し対物レンズの光軸が垂直になるようにレンズホルダを回動させる必要があり、ディスク記録媒体３のラジアル方向上（ここではＸ軸方向上）での傾きに対して対物レンズ１の光軸が常に垂直となるように、光スポットのラジアルチルト制御が行われる。
【００２０】
また、可動部ユニット１０１は６本のワイヤ８ａ〜８ｆによりＺ軸方向、Ｘ軸方向およびＹ軸方向を回転軸とした回転方向に移動（駆動）可能に弾性支持されているためフォ−カスコイル５への通電を解除したときにおいては、Ｚ軸方向における初期状態である動作基準位置に復帰し、トラックコイル６ａ〜６ｄへの通電を解除したときはＸ軸方向における初期状態である動作基準位置に復帰し、チルトコイル７ａ、７ｂへの通電を解除したときはＹ軸方向を回転軸としたときの初期状態である動作基準位置に復帰する。さらに６本のワイヤ８ａ〜８ｆはゲルホルダ１２に充填保持されたゲル状減衰剤１５の中を貫通しているため、可動部ユニット１０１に対してダンピング効果が付与され、良好なフォ−カス制御、トラック制御特性、ラジアルチルト制御特性が得られるとともに、外部からの不要な振動が可動部ユニット１０１に伝わりにくくなっている。
【００２１】
以上のように、この発明に係わる対物レンズ駆動装置１００は、記録媒体面に対して進退自在に内蔵、支持され、対物レンズ１を記録媒体面に対向するように保持するためのレンズホルダ４と、このレンズホルダ４内に前記対物レンズ１の光軸を囲むようフォ−カスコイル５を固定し、前記対物レンズ１を記録媒体面に対して進退させるようにしたことから、フォ−カスコイル５の小型化が可能になり、より小型で高感度の対物レンズ駆動装置１００を得ることができる。
【００２２】
また、前記対物レンズ１の光軸方向に対して平行であるレンズホルダ４の外壁側面に開口部４ｃを設けることにより、あらかじめレンズホルダ４の幅より狭く巻き回されたフォ−カスコイル５を前記開口部４ｃからレンズホルダ内部に挿入し固定することが可能となり、専用で高価なコイル直巻き装置を使用することなく、小型で高感度の対物レンズ駆動装置１００を得ることが可能である。
【００２３】
また、前記開口部４ｃからレンズホルダ４より狭く巻き回されたフォ−カスコイル５を内部に挿入し固定する際に、前記対物レンズ１の光軸と垂直な方向に挿入することから、フォ−カスコイル５の固定時の位置決めがより容易になるため、組み立て精度の高い対物レンズ駆動装置１００を得ることが可能である。
【００２４】
また、レンズホルダ４の外壁上に設けられた固定部であるワイヤ固定壁４ｇのワイヤ固定穴４ｆにワイヤ８ａ〜８ｆを通して接着固定し、さらにレンズホルダ４の外壁上に設けられた凸部４ｅ上で各コイルの巻線端とワイヤ８ａ〜８ｆを電気的に接続し、また、対物レンズ１の光軸を囲むように巻きまわされたフォ−カスコイル５をレンズホルダ４内に固定したので（図３参照）、専用で高価なコイル直巻き装置が不要になるとともに、ワイヤ８ａ〜８ｆの固定部および電気的接続をする基板等の別部品を不要とし、部品点数、組立工数を大きく削減することが可能になる。
【００２５】
また、レンズホルダ４の外壁上に設けられた矩形状の開口部４ｃの対向面には、フォ−カスコイル位置決め壁４ｄが設けられているので、レンズホルダ４内にフォ−カスコイル５を挿入、接触停止させることで組み立て時の位置決めができるようになる。また、位置決め壁４ｄの重量と凸部４ｅに固定される半田重量とのバランスをとることから、可動ユニット１０１の重心位置を対物レンズ１の光軸上に取ることができるため、不要な共振を抑制した良好な制御特性を得ることができる。
【００２６】
また、空芯であるフォ−カスコイル５のＹ軸方向に沿った内側寸法５ａｄは、レンズホルダ４に成形された対物レンズ１に入射する光束２を規制するアパ−チャ４ｂの径より広くかつ、対物レンズの外径寸法１ａｄより狭くなるように設定しているため、レンズホルダ４におけるＹ軸方向に沿った部分の寸法を狭くでき、可動部ユニット１０１の小型、軽量化が可能になる。また、フォ−カスコイル５の駆動に寄与しないＹ軸方向に沿った部分の辺も短くなるため、フォ−カスコイル５の利用効率が上がり、フォ−カス駆動力を向上させることができる。
【００２７】
さらに、レンズホルダ４の矩形状の開口部４ｃはアパ−チャ４ｂと連なる構成にしたため、レンズホルダ４を成形する金型は図６に示すようにコア１６ａ、キャビティ−１６ｂと２方向のスライドコア１６ｃ、１６ｄで構成することができ、レンズホルダ４を２つのパ−トに分けたり、別部品を追加したりすることなく、１つの成型品で得ることができる。
【００２８】
実施の形態２．
図７、図８はこの発明の対物レンズ駆動装置を構成するレンズホルダ４にフォ−カスコイル５を挿入した後、高精度にそれらを位置決めするために用いる組み立て治具の接続関係をＡ−Ａ断面に沿って示す斜視図と断面図である。なお、図７、図８において図１〜図６に示した構成要素と同一または相当するものは同一の符号を付している。
【００２９】
対物レンズ１は光源から発せられる光束２をディスク記録媒体３に集光し光スポットを形成するために設けられ、軽量かつ高剛性のプラスチックで成形された略直方体のレンズホルダ４に接着固定されている。フォ−カスコイル５は対物レンズ１の光軸方向に巻き軸を有し、該光軸を囲むように配置される略矩形状の空芯型をしている。また、フォ−カスコイル５のＹ軸方向に沿った部分の内側寸法５ａｄは、レンズホルダ４に成形された対物レンズ１に入射する光束２を規制するアパ−チャ４ｂの径より広く、対物レンズの外径寸法１ａｄより狭くなるように設定されている。
【００３０】
レンズホルダ４の外壁上のＸ−Ｚ面にはアパ−チャ４ｂ部と連なる矩形状の開口部４ｃがＹ軸方向に沿って貫通している。レンズホルダ４の光束２が入射する側のＸ−Ｙ面には開口部４ｃまで達する貫通部４ｈと１対の貫通孔４ａが形成されている。なお、貫通部４ｈの内壁寸法４ｈｄは、フォ−カスコイル５の内壁寸法５ａｄとほぼ等しい寸法を有している。フォ−カスコイル５は、レンズホルダ４の開口部４ｃにＹ軸方向に沿って挿入した後、貫通部４ｈの内壁寸法４ｈｄおよびフォ−カスコイル５の内側寸法５ａｄよりわずかに狭い径の凸状の位置決め部１７ａと１対の位置決め部１７ｂを有する組立治具１７をＺ軸方向に沿って貫通部４ｈおよび１対の貫通孔４ａを介して挿入することからフォ−カスコイル５内の所定の位置に位置決め固定された後に接着される。その後、組立治具１７はレンズホルダ４から取り外される。その他の構成、動作については実施の形態１と同様である。
【００３１】
以上のような組み立て操作により、フォ−カスコイル５は組立治具１７を用いたことにより、寸法精度を確保しやすい内形基準でレンズホルダ４内に組み立てられるため、より高精度の位置決め固定が可能になる。
【００３２】
実施の形態３．
図９、図１０はこの発明の実施の形態３である対物レンズ駆動装置の可動部ユニットの組立図と分解斜視図である。図において図１〜図８に示した構成要素と同一または相当するものは同一の符号を付している。
【００３３】
対物レンズ１は光源から発せられる光束２をディスク記録媒体３に集光し光スポットを形成するために設けられ、軽量かつ高剛性のプラスチックで成形された略直方体のレンズホルダ４に接着固定されている。フォ−カスコイル５は対物レンズ１の光軸方向に巻き軸を有し、該光軸を囲むように配置される略矩形状の空芯型をしている。また、フォ−カスコイル５のＹ軸方向に沿った部分の内側寸法５ａｄは、レンズホルダ４に成形された対物レンズ１に入射する光束２を規制するアパ−チャ４ｂの径より広く、また対物レンズの外径寸法１ａｄより狭くなるように設定されている。
【００３４】
レンズホルダ４のＸ−Ｚ面上の外壁には、本発明の実施の形態１で示した開口部４ｃと一連に開口部４ｃ１、４ｃ２が併設形成され、さらに、その対向する面上（Ｘ−Ｚ面上）に本発明の実施の形態１と同様に位置決め壁４ｄが設けられている（なお、図９、図１０では隠れている。図３参照）。また、フォ−カスコイル５は、開口部４ｃにＹ軸方向に沿って挿入され、位置決め壁４ｄに当接することから位置決めされ、接着固定される。チルトコイル７を構成する１対のコイル７ａ、７ｂは、共にＺ軸方向に沿った巻き軸を有し、それぞれ１本の巻線で逆方向に巻かれている。このチルトコイル７ａ、７ｂは、レンズホルダ４の開口部４ｃ１、４ｃ２から、すなわちフォ−カスコイル５とレンズホルダ４の間に形成される２箇所の矩形状の空間にそれぞれＹ軸方向に沿って挿入され、接着固定される。トラックコイル６を構成する４個のコイル６ａ、６ｂ、６ｃ、６ｄは、共にＹ軸方向に沿った巻き軸を有し、１本の巻線で連続的に巻かれている。トラックコイル６は、実施の形態１と同様にレンズホルダ４の外壁上のＸ−Ｚ面に接着固定されている。その他の構成、動作については実施の形態１と同様である。
【００３５】
以上のような構成では、チルトコイル７ａ、７ｂもフォ−カスコイル５と同様にＹ軸方向に沿ってレンズホルダ４内に組み立て可能となり、組立性、接着作業性とともに小型化がより向上する。また、フォ−カスコイル５とチルトコイル７ａ、７ｂは、結果的に高剛性のプラスチック製のレンズホルダ４に挟まれているため、外部からの機械的な力に対する悪影響（コイルの変形）が生じ難くなり、より剛性の高い可動部ユニット１０１が実現できる。
【００３６】
なお、上記実施の形態１および実施の形態２では、フォ−カスコイル５、トラックコイル６、チルトコイル７と６本のワイヤからなり、フォ−カス制御、トラック制御、ラジアルチルト制御を行う対物レンズ駆動装置についての例を示したが、フォ−カスコイル５、トラックコイル６と４本のワイヤからなりフォ−カス制御、トラック制御を行う対物レンズ駆動装置等に適用できることは言うまでもない。また、必要に応じて弾性体であるワイヤを６本以上設けても良いし、同様の効果をもつ支持体に置き換えても良いことは言うまでもない。
【００３７】
以上、この発明の実施の形態１ないし実施の形態３において詳細に説明した通り、この発明の対物レンズ駆動装置１００は、高精度な組立て精度を維持しつつ、レンズホルダ４内にフォ−カスコイル５を内蔵固定できる装置にしたことから、特に装置の小型化が容易に実現できるものである。従って、光ヘッドにこの発明の対物レンズ駆動装置１００を搭載することから、容易に小型の光ヘッドを得ることができることは言うまでもない。
【図面の簡単な説明】
【００３８】
【図１】この発明の実施の形態１記載の対物レンズ駆動装置全体を示す斜視図。
【図２】この発明の実施の形態１記載の対物レンズ駆動装置の可動部ユニットと固定部ユニットに分けた分解図。
【図３】この発明の実施の形態１記載の対物レンズ駆動装置の可動部ユニットの分解図。
【図４】この発明の実施の形態１記載の対物レンズ駆動装置の可動部ユニットの分解図。
【図５】この発明の実施の形態１記載の対物レンズ駆動装置の可動部ユニットのＡ−Ａ断面図。
【図６】この発明の実施の形態１記載のレンズホルダの金型のＡ−Ａ断面の斜視図。
【図７】この発明の実施の形態２記載のレンズホルダとフォ−カスコイルと組み立て治具との接続関係を示すＡ−Ａ断面の分解斜視図。
【図８】この発明の実施の形態２記載のレンズホルダとフォ−カスコイルと組み立て治具との接続関係を示すＡ−Ａ断面図。
【図９】この発明の実施の形態３記載の対物レンズ駆動装置の可動部ユニットの斜視図。
【図１０】この発明の実施の形態３記載の対物レンズ駆動装置の可動部ユニットの分解斜視図。
【符号の説明】
【００３９】
１  対物レンズ
２  光束
３  ディスク記録媒体
４  レンズホルダ
４ｂ  アパ−チャ
４ｃ  開口部
４ｄ  フォ−カスコイル位置決め壁
４ｅ  突起
５  フォ−カスコイル
１０ａ  １０ｂ  マグネット（磁気回路）
８ａ〜８ｆ  ワイヤ（導電性弾性体）
【図１】
2006190381.tif 000003
【図２】
2006190381.tif 000004
【図３】
2006190381.tif 000005
【図４】
2006190381.tif 000006
【図５】
2006190381.tif 000007
【図６】
2006190381.tif 000008
【図７】
2006190381.tif 000009
【図８】
2006190381.tif 000010
【図９】
2006190381.tif 000011
【図１０】
2006190381.tif 000012
【手続補正書】
【提出日】平成17年3月3日(2005.3.3)
【手続補正１】
【補正対象書類名】特許請求の範囲
【補正対象項目名】請求項１
【補正方法】変更
【補正の内容】
【請求項１】
記録媒体面に対し進退自在に支持され、対物レンズを記録媒体面に対向するように保持するレンズホルダ、このレンズホルダ内に前記対物レンズの光軸を囲むよう内蔵固定され、前記記録媒体面に対して前記対物レンズを進退させるフォ−カスコイルを備えたことを特徴とする対物レンズ駆動装置。
【手続補正２】
【補正対象書類名】特許請求の範囲
【補正対象項目名】請求項７
【補正方法】変更
【補正の内容】
【請求項７】
前記レンズホルダ内に前記対物レンズの入射光束を規制するアパ−チャ部を有し、そのアパ−チャ部は、前記レンズホルダの開口部に連なって形成されていることを特徴とする請求項１ないし請求項６のいずれか１つに記載の対物レンズ駆動装置。
【手続補正３】
【補正対象書類名】特許請求の範囲
【補正対象項目名】請求項８
【補正方法】変更
【補正の内容】
【請求項８】
前記対物レンズに光束を入射する側の前記レンズホルダの外壁に、前記フォ−カスコイルの内壁とほぼ等しい寸法を有する貫通部が、前記対物レンズの光軸と平行方向に形成され、該貫通部の内壁寸法および前記フォ−カスコイルの内側寸法よりわずかに小さい径の凸状の位置決め部を有する組立治具を、該貫通部を介して前記レンズホルダ内に挿入して前記レンズホルダ内の所定の位置に前記フォ−カスコイルを位置決めし、組み立てられていることを特徴とする請求項２ないし請求項７のいずれか１つに記載の対物レンズ駆動装置。
【手続補正４】
【補正対象書類名】特許請求の範囲
【補正対象項目名】請求項９
【補正方法】変更
【補正の内容】
【請求項９】
前記レンズホルダには、前記ディスク記録媒体の半径方向に駆動するためのトラックコイルと前記ディスク記録媒体に対して傾き方向に駆動するためのチルトコイルが固定され、前記レンズホルダは導電性弾性体で支持されていることを特徴とする請求項１ないし請求項８のいずれか１つに記載の対物レンズ駆動装置。
【手続補正書】
【提出日】平成18年2月3日(2006.2.3)
【手続補正１】
【補正対象書類名】特許請求の範囲
【補正対象項目名】全文
【補正方法】変更
【補正の内容】
【特許請求の範囲】
【請求項１】
記録媒体面に対し進退自在に支持され、対物レンズを記録媒体面に対向するように保持するレンズホルダと、このレンズホルダ内に前記対物レンズの光軸を囲むよう内蔵固定され、前記記録媒体面に対して前記対物レンズを進退させるフォーカスコイルを備え、前記フォ−カスコイルの前記対物レンズと対向する部分に対応するコイルの内壁側寸法が、前記対物レンズの外形寸法より狭く成っていることを特徴とする対物レンズ駆動装置。
【請求項２】
前記レンズホルダの前記光軸と平行な関係にある外壁に、前記フォーカスコイルを前記レンズホルダ内に挿入するための挿入口が設けられていることを特徴とする請求項１記載の対物レンズ駆動装置。
【請求項３】
前記フォーカスコイルは、前記挿入口から、前記光軸と垂直な方向に挿入され、固定されていることを特徴とする請求項２記載の対物レンズ装置。
【請求項４】
前記光軸と平行な前記レンズホルダの外壁に導電性弾性体を固定するための固定部と、前記フォーカスコイルの巻線端と前記導電性弾性体とを電気的に接続するための凸部の両方またはいずれか一方が設けられていることを特徴とする請求項１ないし請求項３のいずれか１つに記載の対物レンズ駆動装置。
【請求項５】
前記挿入口と対向する前記レンズホルダの外壁に前記フォーカスコイルの位置決め手段が設けられたことを特徴とする請求項２ないし請求項４のいずれか１つに記載の対物レンズ駆動装置。
【請求項６】
前記レンズホルダ内に前記対物レンズの入射光束を規制するアパ−チャ部を有し、そのアパ−チャ部は、前記レンズホルダの開口部に連なって形成されていることを特徴とする請求項１ないし請求項５のいずれか１つに記載の対物レンズ駆動装置。
【請求項７】
前記レンズホルダには、前記ディスク記録媒体の半径方向に駆動するためのトラックコイルと前記ディスク記録媒体に対して傾き方向に駆動するためのチルトコイルが固定され、前記レンズホルダは導電性弾性体で支持されていることを特徴とする請求項１ないし請求項６のいずれか１つに記載の対物レンズ駆動装置。
【請求項８】
前記チルトコイルは、前記開口部に光軸方向と垂直な方向から挿入され、固定されていることを特徴とする請求項７に記載の対物レンズ駆動装置。
【請求項９】
請求項１ないし請求項８のいずれか１つに記載の対物レンズ駆動装置を備えたことを特徴とする光ヘッド。
【手続補正２】
【補正対象書類名】明細書
【補正対象項目名】０００６
【補正方法】変更
【補正の内容】
【０００６】
この発明にかかる対物レンズ駆動装置は、記録媒体面に対して進退自在に支持されるものであって、対物レンズを記録媒体面に対向するように保持するためのレンズホルダと、このレンズホルダ内に前記対物レンズの光軸を囲むようフォーカスコイルを内蔵固定し、前記対物レンズを記録媒体面に対して進退させるようにするとともに、前記フォーカスコイルの前記対物レンズと対向する部分に対応するコイルの内壁側寸法が、前記対物レンズの外形寸法より狭く成っているように構成したものである。
【手続補正３】
【補正対象書類名】明細書
【補正対象項目名】０００７
【補正方法】変更
【補正の内容】
【０００７】
本発明は、レンズホルダ内に対物レンズの光軸を囲むようフォーカスコイルを内蔵固定し、前記フォーカスコイルの前記対物レンズと対向する部分に対応するコイルの内壁側寸法が、前記対物レンズの外形寸法より狭く成っているように構成したので、フォーカスコイルの小型化が可能になり、より小型軽量化するとともに、フォーカスコイルの駆動に寄与しない部分の辺も短くなるため、フォーカスコイルの利用効率が上がり、フォーカス駆動力を向上させた対物レンズ駆動装置を得ることができる。